(57)【特許請求の範囲】
【請求項１】
利用者により所持されている携帯端末、通信エリア内にある上記携帯端末と信号の送受信を行う複数の基地局、上記携帯端末を所持する利用者が上記基地局を経由して行うエレベータ呼び登録を管理するエレベータ呼び登録サーバおよび上記エレベータ呼び登録サーバからの指令に基づきエレベータの呼び登録を行うエレベータ制御装置を有するエレベータ呼び登録システムにおいて、
上記携帯端末は、上記エレベータ呼び登録サーバから常時送られている各種サービス案内メニューに基づき登録情報を上記基地局に送信するとともに周期的に自身の携帯端末識別情報を上記基地局に送信し、
上記基地局は、上記各種サービス案内メニューを上記携帯端末に送信する無線送信部と、受信した上記登録情報に自身の基地局識別情報を付加した付加登録情報を上記エレベータ呼び登録サーバに送信するとともに受信した上記携帯端末識別情報に自身の基地局識別情報を付加した携帯端末位置情報を上記エレベータ呼び登録サーバに出力する出力部とを有し、
上記エレベータ呼び登録サーバは、常時各種サービス案内メニューを上記携帯端末に送り、また、上記携帯端末から上記基地局を介して送られる付加登録情報に基づいて、該当するエレベータを特定し、上記特定したエレベータが設置された建物が内に含まれる通信エリア内に配置されている上記基地局の基地局識別情報と該携帯端末の携帯端末識別情報とを予約登録情報として記憶し、また、該携帯端末に係わる携帯端末位置情報と上記予約登録情報とから、該携帯端末が先に特定したエレベータが設置された建物が内に含まれる通信エリア内にあるか否かを同定し、通信エリア内にあるときエレベータ制御装置にエレベータ呼びデータの送信と合わせて利用者が接近している旨指令することを特徴とするエレベータ呼び登録システム。
【請求項２】
上記基地局が上記建物内に配置されていることを特徴とする請求項１に記載するエレベータ呼び登録システム。
【請求項３】
上記基地局毎から送信される上記各種サービス案内メニューは、異なっていることを特徴とする請求項１に記載するエレベータ呼び登録システム。
【発明の詳細な説明】
【技術分野】  この発明は、利用者が携帯端末などを用いて建物の内外からエレベータの呼び登録を行うことのできるエレベータ呼び登録システムに関するものである。
【背景技術】  従来のエレベータ呼び登録システムは、特開２００２−１１７１７３号公報に記載するように、ビル内に設置され、利用者が所持する携帯情報端末と信号の送受信を行う複数の移動体通信手段と、各移動体通信手段からの情報を集めて携帯情報端末の位置情報を管理する位置情報管理手段と、エレベータ制御装置に呼び登録制御信号を伝送するエレベータ制御手段と、携帯情報端末からアクセスされたとき、各種サービスを選択させるビル内案内メニュー情報を携帯情報端末に送信し、ビル内の目的場所を案内するサービスが選択されたとき、ビル内の目的場所を選択させる目的地メニュー情報を携帯情報端末に送信し、目的場所が選択されたとき、送られてきた目的場所情報及び携帯情報端末の位置情報に基いて選択された目的場所と利用者の現在位置を含む案内情報を携帯情報端末に送信する案内情報管理手段とを備えている。
しかし、利用者がエレベータの呼び登録を行うとき、携帯情報端末を使って案内情報管理手段にアクセスしたのち、関連するビル内案内メニューを用いて呼び登録を行うので、自らすすんでアクセスしなければならないという問題がある。
さらに、各種サービスが選択される数段階のビル内案内メニュー情報を検索しなければ必要なコンテンツに辿り着くことができないので、呼び登録するまでの手順が煩雑であるという問題がある。
さらに、特定の建物内にあるエレベータの呼び登録をわざわざ特定のコンテンツにアクセスして登録を行う人は少なく、限られた人だけの利用になるという問題がある。
この発明の目的は、利用者がエレベータの呼び登録、またはその予約を行うとき、携帯端末に送信されてきている情報に基づいてコンテンツの選択を行うことにより所望の建物のエレベータに対して呼び登録、または登録の予約ができるエレベータ呼び登録システムを提供することである。
【発明の開示】
この発明に係わるエレベータ呼び登録システムは、利用者により所持されている携帯端末、通信エリア内にある上記携帯端末と信号の送受信を行う複数の基地局、上記携帯端末を所持する利用者が上記基地局を経由して行うエレベータ呼び登録を管理するエレベータ呼び登録サーバおよび上記エレベータ呼び登録サーバからの指令に基づきエレベータの呼び登録を行うエレベータ制御装置を有するエレベータ呼び登録システムにおいて、上記携帯端末は、上記エレベータ呼び登録サーバから常時送られている各種サービス案内メニューに基づき呼び登録情報を上記基地局に送信するとともに周期的に自身の携帯端末識別情報を上記基地局に送信し、上記基地局は、受信した上記呼び登録情報に自身の基地局識別情報を付加した付加登録情報を上記エレベータ呼び登録サーバに送信するとともに受信した上記携帯端末識別情報に自身の基地局識別情報を付加した携帯端末位置情報を上記エレベータ呼び登録サーバに送信し、上記エレベータ呼び登録サーバは、常時各種サービス案内メニューを上記携帯端末に送る各種サービス制御手段と、上記携帯端末から上記基地局を介して送られる付加登録情報に基づいて、該当するエレベータを特定し、上記特定したエレベータが設置された建物が内に含まれる通信エリア内に配置されている上記基地局の基地局識別情報と該携帯端末の携帯端末識別情報とを予約登録情報として記憶し、該携帯端末に係わる携帯端末位置情報と上記予約登録情報とから、該携帯端末が先に特定したエレベータが設置された建物が内に含まれる通信エリア内にあるか否かを同定し、通信エリア内にあるときエレベータ制御装置にエレベータ呼びデータの送信と合わせて利用者が接近している旨指令する呼び登録管理手段と、を有する。
この発明のエレベータ呼び登録システムの効果は、エレベータ呼び登録サーバから常時エレベータ関連情報が発信されていて、その情報からコンテンツの選択を行うことにより、所望のエレベータの呼び登録予約ができるので、利用者側から必要なコンテンツが格納されているサイトにアクセスする必要がなく、簡単に呼び登録の予約が可能となる。
【図面の簡単な説明】  図１は、この発明の実施の形態１に係わるエレベータ呼び登録システムのブロック図である。
図２は、実施の形態１に係わる携帯端末の機能ブロック図である。
図３は、携帯端末から基地局に送信される登録情報の通信フレームの構成図である。
図４は、実施の形態１に係わる基地局の機能ブロック図である。
図５は、実施の形態１に係わるエレベータ呼び登録サーバの機能ブロック図である。
図６は、図５のエレベータ呼び登録サーバに記憶されている予約登録情報のデータ構造を示す。
図７は、実施の形態１に係わるエレベータ制御装置の機能ブロック図である。
図８は、図７のエレベータ制御装置に記憶されている呼び登録情報のデータ構造を示す。
図９は、エレベータの呼び登録の予約を行う手順を示した図である。
図１０は、携帯端末の表示画面の表示例を示す。
図１１は、呼び登録予約を行った利用者がエレベータを利用する手順を示す図である。
【発明を実施するための最良の形態】  実施の形態１．
図１は、この発明の実施の形態１に係わるエレベータ呼び登録システムのブロック図である。
このエレベータ呼び登録システムは、建物１内に乗客の昇降の用に供されているエレベータ２と、エレベータ２を制御するエレベータ制御装置３、そのエレベータ制御装置３を管理範囲に含んでいる管理センター４に備えられたエレベータ呼び登録サーバ５、エレベータ２を利用する利用者６とエレベータ呼び登録サーバ５との間で情報交換を行うための基地局７ａ、７ｂおよび利用者６が携帯する携帯端末８を有している。基地局７ａ、７ｂ、エレベータ呼び登録サーバ５、エレベータ制御装置３はインタネットなどからなる通信回線９により接続されている。
基地局７ａ、７ｂは、携帯端末８と無線送受信できる範囲（以下、通信エリアと称す。）１０ａ、１０ｂ内に置かれている。以下の説明において、２つの通信エリア、Ａエリア１０ａ、Ｂエリア１０ｂを例に挙げて行うが、これに限るものではない。利用者６は、Ａエリア１０ａ内に所在し、利用者６が利用を考えている建物１は、Ｂエリア１０ｂ内に存在しているとする。
エレベータ２には、エレベータ駆動装置１１が接続され、エレベータ制御装置３は、エレベータ駆動装置１１を制御することにより乗りカゴ１２を昇降路内において昇降させている。エレベータ制御装置３は、図示しない乗場などに備えられている呼び釦から呼び入力が入力されると、呼び登録が行われ、乗りカゴ１２を呼ばれた乗り場に案内し、サービスを提供する。
次に、携帯端末８の機能について説明する。図２は、携帯端末８の機能ブロック図である。
携帯端末８は、利用者６により所持され、基地局７ａ、７ｂから送られて来る各種サービス案内メニューとしてのエレベータの呼び登録に係わるエリア毎建物情報を受信する無線受信部２１、受信したエリア毎建物情報を表示する表示部２２を有している。また、表示されたエリア毎建物情報を参照しながら利用者がバンク、号機、階床などからなるコンテンツを選択する入力部２３、選択されたコンテンツに基づいて登録情報を作成する登録データ処理部２４、基地局７ａ、７ｂを経由してエレベータ呼び登録サーバ５に登録情報を送信する無線送信部２５を有している。さらに、携帯端末８の無線送信部２５は、周期的に自身に割り当てられている識別情報としての携帯端末ＩＤを基地局７ａ、７ｂを経由してエレベータ呼び登録サーバ５に送信している。
無線送信部２５から基地局７ａ、７ｂに送信される登録情報の通信フレームを図３に示す。登録情報の通信フレームは、ヘッダ、自身に割り当てられている携帯端末ＩＤ、選択された建物が存在する通信エリア内の基地局番号、選択された建物番号、バンク、号機、階床などからなる選択されたコンテンツの番号、登録の有無の各スロットから構成されている。
なお、携帯端末８として、通常の携帯電話にこの発明のエレベータ呼び登録システムの無線送受信規格に合致した無線受信部と無線送信部とを別途備えることにより、共用して使用することができる。また、無線通信機能が備えられた携帯パソコンでも同様に携帯端末８として使用することができる。
次に、基地局７ａ、７ｂの機能について図４を参照して説明する。図４は、基地局７ａ、７ｂの機能ブロック図である。
基地局７ａ、７ｂは、エレベータ呼び登録サーバ５から伝送されてきた各種サービス案内メニューとしてのエリア毎建物情報などを受信する受信部３１、受信されたエリア毎建物情報などをエリア内に所在する利用者が所持する携帯端末８に無線送信する無線送信部３２、携帯端末８から無線送信されてきた登録情報を無線受信する無線受信部３３、無線受信した登録情報に自身の識別情報としての基地局番号を付加した付加登録情報をエレベータ呼び登録サーバ５に出力する出力部３４、自身の基地局番号が記憶されている記憶部３５を有している。
また、無線受信部３３は、携帯端末８から定期的に無線送信されてくる携帯端末ＩＤを受信し、出力部３４は、その携帯端末ＩＤに自身の基地局番号を付加して携帯端末位置情報としてエレベータ呼び登録サーバ５に送信する。
次に、エレベータ呼び登録サーバ５の機能について図５を参照して説明する。図５は、エレベータ呼び登録サーバ５の機能ブロック図である。
エレベータ呼び登録サーバ５は、基地局毎、建物毎、階毎、店舗毎に層別されたテナント広告、催し物などからなるエレベータ関連情報を更新し、記憶している各種サービス制御手段４１、携帯端末８およびエレベータ制御装置３との間においてエレベータ呼び登録を管理する呼び登録管理手段４２を有している。
各種サービス制御手段４１は、テナント広告内容、催し物内容などのエレベータ関連情報を定期的または不定期に更新する関連情報処理部４３、これらエレベータ関連情報が記憶されているサービスデータ記憶部４４を有している。
呼び登録管理手段４２は、基地局７ａ、７ｂおよびエレベータ制御装置３との間で情報の送受信を行う伝送制御部４６、各種サービス制御手段４１および基地局７ａ、７ｂから送られてきた情報が記憶される記憶部４７、受信した情報に基づき基地局７ａ、７ｂおよびエレベータ制御装置３に送信する情報を作成するデータ処理部４８を有している。
データ処理部４８は、各種サービス制御手段４１からエレベータ関連情報を読み出し、基地局毎にエリア毎建物情報に編集し、基地局７ａ、７ｂに送信する。基地局７ａ、７ｂのために編集されるエリア毎建物情報は、その基地局７ａ、７ｂの周辺の複数のエリアに存在する建物に関するテナント広告、イベント情報などからなる。
さらに、データ処理部４８は、付加登録情報に基づき、該当するエレベータ制御装置３にバンク、号機、階床などからなる呼びデータおよび携帯端末ＩＤを出力する。
さらに、データ処理部４８は、付加登録情報に基づき該当する建物が含まれる基地局番号、該当する建物番号および携帯端末ＩＤからなる予約登録情報を記憶部４７に記憶する。
さらに、データ処理部４８は、基地局７ａ、７ｂから送信された携帯端末位置情報と記憶部４７に記憶されている予約登録情報とを同定し、同定したときエレベータ制御装置３に登録された利用者がそのエレベータの近くにいることを示す接近情報を知らせる。
呼び登録管理手段４２の記憶部４７に記憶されている予約登録情報のデータ構造を図６に示す。図６は、記憶部４７に記憶されている予約登録情報のデータ構造を示す。フィールドには、予約している利用者が所持している携帯端末８の携帯端末ＩＤが記憶され、レコードには、それぞれの携帯端末ＩＤに対する予約された時点における基地局番号、予約された建物が存在する通信エリアの基地局番号および選択された建物番号が記憶されている。これらの情報は付加登録情報から読み取られ、記憶される。
次に、エレベータ制御装置３の機能について図７を参照して説明する。図７は、エレベータ制御装置３の機能ブロック図である。
エレベータ制御装置３は、図示しない乗り場の呼び釦が利用者により操作されることにより呼び登録するエレベータ制御手段５１、エレベータ呼び登録サーバ５から送信されたバンク、号機、階床などからなる呼びデータを一旦記憶し、エレベータ呼び登録サーバ５からの接近情報に基づき、記憶されている呼びデータに基づいてエレベータ制御手段５１に呼び登録する受信情報管理手段５２を有している。受信情報管理手段５２は、バンク、号機、階床の呼びデータから利用者が乗車する階を判断して、呼び登録する。
受信情報管理手段５２は、エレベータ呼び登録サーバ５から送信されてきた呼びデータおよび携帯端末ＩＤが記憶される呼び情報記憶部５３、エレベータ呼び登録サーバ５から送信されてきた呼びデータおよび携帯端末ＩＤを呼び情報記憶部５３に記憶し、また、エレベータ呼び登録サーバ５からの接近情報に基づきエレベータ制御手段５１に呼び登録する受信情報管理部５４を有している。
呼び情報記憶部５３に記憶されている呼び登録情報のデータ構造を図８に示す。図８は、記憶されている呼び登録情報のデータ構造を示す。フィールドには、予約した携帯端末ＩＤが記憶され、レコードにはそれぞれの携帯端末ＩＤに対する呼びデータとしてのバンク、号機、階床が記憶されている。
次に、エレベータの呼び登録の予約を行う手順について図９を参照して説明する。図９は、エレベータの呼び登録の予約を行う手順を示した図である。
通常、各種サービス制御手段４１は、定期的にまたは不定期にエレベータ呼び登録サーバ５が管轄する建物１のテナント広告、催し物などからなるエレベータ関連情報を更新し、サービスデータ記憶部４４に記憶している。このように、エレベータ関連情報は最新のものがサービスデータ記憶部４４に記憶されている。
次に呼び登録管理手段４２は、定期的にサービスデータ記憶部４４からエレベータ関連情報を読み出し、それをエリア毎建物情報に編集して基地局７ａ、７ｂに出力する。
基地局７ａ、７ｂは、このエリア毎建物情報を通信エリア１０ａ、１０ｂ内に無線送信する。
携帯端末８は、エリア毎建物情報を受信し、表示画面にコンテンツとして表示する。図１０（ａ）に、コンテンツが表示された表示画面の例を示す。この例において、Ａビルの５階で１０％ＯＦＦのセールが行われており、１１階で＊＊展示会が開催されていることを示す。利用者はこの表示画面から利用したいコンテンツを選択すると、登録用画面が表示される。図１０（ｂ）に、登録用画面の例を示す。この例において、利用者が「登録する」を選択すると登録することができる。登録を実行すると、選択された建物の建物番号（以下、選択建物番号と称す。）、選択された建物が含まれる基地局番号（以下、選択基地局番号と称す。）、選択された建物用の呼びデータ（例えば、バンク、号機、階床などからなる。）、自身の携帯端末ＩＤからなる登録情報が作成される。そして、この登録情報が基地局７ａ、７ｂに無線送信される。
基地局７ａ、７ｂは、受信した登録情報に自身の基地局番号を付加して付加登録情報とし、エレベータ呼び登録サーバ５に送信する。
エレベータ呼び登録サーバ５の伝送制御部４６は、付加登録情報を受信し、その付加登録情報をデータ処理部４８に出力する。データ処理部４８は、付加登録情報に基づいて該当する建物を特定する。そして特定した建物のエレベータ制御装置３に呼びデータ（バンク、号機、階床等）と登録した携帯端末の携帯端末ＩＤを呼び登録情報として送信する。同時に、携帯端末ＩＤ、現在位置を示す受信した基地局番号、選択基地局番号、選択建物番号を予約登録情報として記憶部４７に記憶する。
特定された建物１の受信情報管理手段５２は、エレベータ呼び登録サーバ５から送信された呼び登録情報を呼び情報記憶部５３に記憶する。
次に、呼び登録予約した利用者がエレベータを利用する手順を図１１を参照して説明する。図１１は、呼び登録予約を行った利用者がエレベータを利用する手順を示す図である。
携帯端末８は、呼び登録予約を行った後、常時自身の携帯端末ＩＤを送信する。
基地局７ａ、７ｂは、受信した携帯端末ＩＤと自身の基地局番号とを組み合わせた携帯端末位置情報をエレベータ呼び登録サーバ５に送信する。
呼び登録管理手段４２は、携帯端末位置情報を受信する。同時に、記憶部４７から予約登録情報を読み出し、情報が一致するか否かの同定を行う。同一と判断されたとき、受信情報管理手段５２に利用者が建物１の近くにいることを示す接近情報を送信する。
受信情報管理手段５２は、利用者が建物１の近くにいると連絡受けたとき、呼び情報記憶部５３から利用者の携帯端末ＩＤに基づき呼びデータを読み出す。その呼びデータに基づきエレベータ制御手段５１に呼び登録を要求する。エレベータ制御手段５１は、呼び登録の要求に基づき、エレベータ駆動装置１１を制御して、エレベータ２の乗りカゴ１２を呼び登録された階に走行させる。
このようなエレベータ呼び登録システムは、エレベータ呼び登録サーバから常時エレベータ関連情報が発信されていて、その情報からコンテンツの選択を行うことにより、所望のエレベータの呼び登録の予約ができるので、利用者側から必要なコンテンツが格納されているサイトにアクセスする必要がなく、簡単に呼び登録の予約が可能となる。
さらに、利用者が予約したエレベータに近づいたことを検知し、呼び登録が行われるので、タイミングよく乗りカゴが配車され、スムーズに目的の階に行くことができる。
また、各基地局から異なるエリア毎建物情報が配信されているので、利用者は関連深い情報を利用することができる。
また、各利用者はリアルタイムに情報を入手できるので、行き先を効率よく廻ることができる。
なお、実施の形態１において、利用者が通信している基地局が置かれている通信エリアと異なる通信エリアの建物を選択して、呼び登録予約を行っているが、利用者が通信している基地局が置かれている通信エリア内の建物のエレベータに呼び登録する場合は、呼び登録情報と合わせて接近情報をエレベータ制御装置に送信され、乗り場の呼び釦と同様に呼び登録することができる。このように、乗り場の呼び釦を操作しなくても、エレベータを呼ぶことができるので、離れていても呼び登録ができる。
また、実施の形態１において、携帯端末から登録情報が呼び登録管理手段に送信されたとき、予めエレベータ制御装置に呼びデータを送信しておくことを示したが、利用者が利用しようとするエレベータに接近したとき、接近情報と一緒に呼びデータをエレベータ制御装置に送信するようにして呼び登録を行ってもよい。
実施の形態２．
この発明の実施の形態２に係わるエレベータ呼び登録システムは、各基地局が各建物内に設置されている点が実施の形態１と異なっており、その他は同様である。同様な部分の説明は省略する。
実施の形態２に係わるエレベータ呼び登録システムにおいて、基地局が建物内に設置されているので、エレベータ制御装置がエレベータの呼び登録を行う時点が利用者が対象のエレベータに近づいたときに行われるので、無駄な呼び登録が行われる割合を小さくすることができる。そして、エレベータの運行効率を落とすことなく利用者が効率的に目的の場所に行くことができる。
【図１】
0004516072.tif 000002
【図２】
0004516072.tif 000003
【図３】
0004516072.tif 000004
【図４】
0004516072.tif 000005
【図５】
0004516072.tif 000006
【図６】
0004516072.tif 000007
【図７】
0004516072.tif 000008
【図８】
0004516072.tif 000009
【図９】
0004516072.tif 000010
【図１０】
0004516072.tif 000011
【図１１】
0004516072.tif 000012